(57)【要約】【課題】被検体の体調によらずに、当該被検体の認証を低い本人拒否率で行うことができる携帯端末を提供すること。【解決手段】携帯端末は、入力部と、被検体の体調を検知する体調検知部と、複数のテンプレートを保持するテンプレート保持部と、入力部に入力される操作と、前記テンプレートに基づき、被検体について認証を行う認証部と、を備える、前記テンプレートは、体調に応じて異なる。【選択図】図１
2013239125.tif 000002
【特許請求の範囲】
【請求項１】
入力部と、
被検体の体調を検知する体調検知部と、
複数のテンプレートを保持するテンプレート保持部と、
前記入力部に入力される操作と、前記テンプレートに基づき、前記被検体について認証を行う認証部と、を備え、
前記テンプレートは、前記体調に応じて異なる、
携帯端末。
【請求項２】
請求項１に記載の携帯端末であって、
前記認証を、第１の認証とし、
前記認証部は、さらに、前記体調に基づいて、前記被検体について第２の認証を行う携帯端末であって、
前記第１の認証において認証され、かつ前記第２の認証において認証された場合、所定の個人であると判定する、
携帯端末。
【請求項３】
請求項１又は請求項２に記載の携帯端末であって、
前記入力部には、文字、図形、サイン、音声、顔画像、生体インピーダンス、及び脈波の内、少なくとも一つを入力可能である、
携帯端末。
【請求項４】
請求項１から請求項３のいずれか１項に記載の携帯端末であって、
前記体調検知部は、被検体の心電図波形、心拍数、及び脈拍数の少なくとも一つから当該被検体の体調を検知する、
携帯端末。
【請求項５】
請求項１から請求項４のいずれか１項に記載の携帯端末であって、
前記テンプレート保持部に保持される前記複数のテンプレートは、少なくとも安静時のテンプレートと、運動後のテンプレートとを含む、
携帯端末。
【発明の詳細な説明】
【技術分野】
【０００１】
本発明は、被検体の体調に応じた認証を行う携帯端末に関する。
【背景技術】
【０００２】
携帯電話、携帯端末、スマートフォン又は携帯ゲーム機等の携帯可能な電子機器の一部には、被検体（subject）の認証を行う個人認証機能を有しているものがある。この個人認証機能としては、例えば、電子機器の入力部に対して行われたサインに基づいて行う個人認証が用いられる。
【先行技術文献】
【特許文献】
【０００３】
【特許文献１】特開２０１０−００９３６４号公報
【特許文献２】特開２００６−０９９６２６号公報
【発明の概要】
【発明が解決しようとする課題】
【０００４】
しかし、被検体のサインは常に同じとは限らない。図４は、被検体が安静時に行ったサインの一例と、同一の被検体が運動した直後に行ったサインの一例を示す図である。図４に示すように、運動直後のサインは、安静時のサインと比較して筆跡が大きく異なる。このため、被検体が所有する電子機器に安静時のサインが登録されている場合、被検体が運動した直後にサインしても、本人と認証されない可能性が高い。すなわち、サイン認証方式による個人認証では、本人拒否率の安定的な低下が望めない。
【０００５】
なお、複数の認証方式を利用するマルチモーダル（multimodal）認証では、被検体から得られた複数種類の情報に基づいて、複数の認証方式による認証を行う。このため、マルチモーダル認証を行うと認証精度が向上し、本人拒否率を低下できる。しかし、個人認証機能としてマルチモーダル認証が採用された電子機器のユーザは、この電子機器の使用開始に際して個人認証を行う度に、複数の認証方式に応じた各情報を電子機器に入力しなければならない。この入力操作は電子機器のユーザにとって手間である。また、被検体の体調によっては、マルチモーダル認証であっても本人拒否率の低下を実現できない。
【０００６】
本発明の目的は、被検体の体調によらずに、当該被検体の認証を低い本人拒否率で行うことができる携帯端末を提供することである。
【課題を解決するための手段】
【０００７】
本発明の携帯端末は、入力部と、被検体の体調を検知する体調検知部と、複数のテンプレートを保持するテンプレート保持部と、前記入力部に入力される操作と、前記テンプレートに基づき、前記被検体について認証を行う認証部と、を備え、前記テンプレートは、前記体調に応じて異なる。
この構成により、被検体についての認証は、当該被検体の体調に応じて異なるテンプレートに基づいて行われるため、被検体の体調によらずに低い本人拒否率で認証を行うことができる。
【０００８】
また、本発明の携帯端末は、前記認証を、第１の認証とし、前記認証部は、さらに、前記体調に基づいて、前記被検体について第２の認証を行う携帯端末であって、前記第１の認証において認証され、かつ前記第２の認証において認証された場合、所定の個人であると判定する。
この構成により、２つの認証において認証されなければ被検体は所定の個人と判定されないため、当該認証のセキュリティレベルを上げることができる。
【０００９】
また、本発明の携帯端末は、前記入力部には、文字、図形、サイン、音声、顔画像、生体インピーダンス、及び脈波の内、少なくとも一つを入力可能である。
【００１０】
また、本発明の携帯端末は、前記体調検知部は、被検体の心電図波形、心拍数、及び脈拍数の少なくとも一つから当該被検体の体調を検知する。
【００１１】
また、本発明の携帯端末は、前記テンプレート保持部に保持される前記複数のテンプレートは、少なくとも安静時のテンプレートと、運動後のテンプレートとを含む。
【発明の効果】
【００１２】
本発明に係る携帯端末によれば、被検体の体調によらずに、当該被検体の認証を低い本人拒否率で行うことができる。
【図面の簡単な説明】
【００１３】
【図１】一実施形態の携帯端末の内部構成を示すブロック図
【図２】（ａ）は被検体が安静時に得られる心電図波形の一例を示す図であり、（ｂ）は被検体が運動した直後に得られる心電図波形の一例を示す図
【図３】ユーザによる携帯端末の使用開始に際して当該携帯端末が個人認証を行うときの動作を示すフローチャート
【図４】被検体が安静時に行ったサインの一例と、同一の被検体が運動した直後に行ったサインの一例を示す図
【発明を実施するための形態】
【００１４】
以下、本発明の実施形態について、図面を参照して説明する。
【００１５】
図１は、一実施形態の携帯端末の内部構成を示すブロック図である。図１に示すように、携帯端末は、メモリ１０１と、心電図取込部１０３と、第１本人判定部１０５と、体調判断部１０７と、サイン取込部１０９と、第２本人判定部１１１と、制御部１１３とを備える。携帯端末は、ユーザによる当該携帯端末の使用開始に際して個人認証を行う。
【００１６】
以下、携帯端末の各構成要素について説明する。
【００１７】
メモリ１０１には、携帯端末を利用可能なユーザ（以下「本人」という）の心電図波形に係るテンプレート（以下「本人心電図テンプレート」という）と、本人の署名等のサインに係るテンプレート（以下「本人サインテンプレート」という）とが格納されている。但し、本人心電図テンプレート及び本人サインテンプレートの各々には、本人の異なる複数の体調に応じたテンプレートが含まれている。複数の体調には、例えば、運動直後の体調及び安静時の体調等が含まれる。
【００１８】
心電図取込部１０３は、携帯端末を保持するユーザ（以下「被検体」という）の心電図波形のデータを取り込む。図２（ａ）は、被検体が安静時に得られる心電図波形の一例を示す図であり、図２（ｂ）は、被検体が運動した直後に得られる心電図波形の一例を示す図である。
【００１９】
第１本人判定部１０５は、心電図取込部１０３が取り込んだ心電図波形のデータを、メモリ１０１に格納されている本人心電図テンプレートと照合する。このとき、第１本人判定部１０５は、心電図波形のデータが本人心電図テンプレートに含まれるいずれかの心電図テンプレートと一致するか否かを判定する。第１本人判定部１０５の判定結果は制御部１１３に送られる。
【００２０】
体調判断部１０７は、心電図波形のデータが本人心電図テンプレートに含まれるいずれかの心電図テンプレートに一致すると第１本人判定部１０５が判定した場合、被検体は当該一致した心電図テンプレートに対応する体調であると判断する。例えば、心電図波形のデータが運動直後の体調に対応する心電図テンプレートに一致する場合、体調判断部１０７は、被検体が運動直後の体調であると判断する。体調判断部１０７の判断結果は制御部１１３に送られる。
【００２１】
サイン取込部１０９は、被検体によるサインのデータを取り込む。図４に示したように、被検体が安静時に行ったサインと運動直後に行ったサインとでは筆跡が大きく異なる。
【００２２】
第２本人判定部１１１は、サイン取込部１０９が取り込んだサインのデータを、メモリ１０１に格納されている本人サインテンプレートの内、体調判断部１０７によって判断された体調のサインテンプレートと照合する。このとき、第２本人判定部１１１は、サインのデータが被検体の体調に対応するサインテンプレートと一致するか否かを判定する。第２本人判定部１１１の判定結果は制御部１１３に送られる。
【００２３】
制御部１１３は、メモリ１０１から読み出した本人心電図テンプレートを第１本人判定部１０５に送る。同様に、制御部１１３は、メモリ１０１に格納されている本人サインテンプレートの内、体調判断部１０７が判断した体調に対応するサインテンプレートをメモリ１０１から読み出して第２本人判定部１１１に送る。
【００２４】
また、制御部１１３は、サインのデータがサインテンプレートに一致するとの判定結果が第２本人判定部１１１から得られると、被検体が本人であると判定する。このとき、制御部１１３は、携帯端末の図示しないディスプレイにメニュー画面を表示するよう処理する。一方、サインのデータがサインテンプレートに一致しないとの判定結果が第２本人判定部１１１から得られたとき、制御部１１３は、携帯端末の図示しないディスプレイに認証不一致の表示を行うよう処理する。
【００２５】
また、制御部１１３は、心電図波形のデータが本人心電図テンプレートに含まれるどの心電図テンプレートにも一致しないとの判定結果を第１本人判定部１０５から受け取っても、３回までは第１本人判定部１０５による照合を許可する。しかし、心電図波形のデータが本人心電図テンプレートに含まれるどの心電図テンプレートにも一致しないとの判定結果を３回連続して第１本人判定部１０５から受け取ると、制御部１１３は、携帯端末の図示しないディスプレイに認証不一致の表示を行うよう処理する。
【００２６】
図３は、ユーザによる携帯端末の使用開始に際して当該携帯端末が個人認証を行うときの動作を示すフローチャートである。図３に示すように、制御部１１３は、認証回数を１に設定する（ステップＳ１０１）。次に、制御部１１３は、認証回数が３以下であるか否かを判断し（ステップＳ１０３）、認証回数≦３であればステップＳ１０５に進み、認証回数＞３であればステップＳ１２１に進む。
【００２７】
ステップＳ１０５では、心電図取込部１０３が、被検体の心電図波形のデータを取り込む。次に、第１本人判定部１０５は、心電図波形のデータをメモリ１０１に格納されている本人心電図テンプレートと照合する（ステップＳ１０７）。ステップＳ１０７で行った照合の結果、心電図波形のデータが本人心電図テンプレートに含まれるいずれかの心電図テンプレートと一致するか否かを第１本人判定部１０５が判断し（ステップＳ１０９）、一致すればステップＳ１１１に進み、一致しなければステップＳ１２３に進む。ステップＳ１２３では、制御部１１３は、認証回数をインクリメントして、ステップＳ１０３に戻る。
【００２８】
ステップＳ１１１では、体調判断部１０７が、被検体はステップＳ１０９で一致した心電図テンプレートに対応する体調であると判断する。次に、サイン取込部１０９は、被検体によるサインのデータを取り込む（ステップＳ１１３）。次に、第２本人判定部１１１は、サインのデータをメモリ１０１に格納されているステップＳ１１１で判断された体調のサインテンプレートと照合する（ステップＳ１１５）。次に、ステップＳ１１５で行った照合の結果、サインのデータがサインテンプレートと一致するかを第２本人判定部１１１が判断し（ステップＳ１１７）、一致すればステップＳ１１９に進み、一致しなければステップＳ１２１に進む。
【００２９】
ステップＳ１１９では、制御部１１３が、携帯端末のディスプレイにメニュー画面を表示するよう処理する。一方、ステップＳ１２１では、制御部１１３が、携帯端末のディスプレイに認証不一致の表示を行うよう処理する。
【００３０】
以上説明したように、本実施形態では、ユーザによる携帯端末の使用開始に際して個人認証が行われるとき、心電図波形のデータに基づいて被検体の体調を判断した後、被検体によるサインのデータが当該被検体の体調に対応するサインテンプレートに一致するか否かを判定する。このときサインのデータと照合されるサインテンプレートは、被検体の体調によって異なる。すなわち、サインのデータと照合されるサインテンプレートは、メモリ１０１に格納された本人サインテンプレートの内、被検体の体調に応じたものが選択される。その結果、被検体の体調によらずに、個人認証における本人拒否率の安定的な低下を実現できる。
【００３１】
また、第１本人判定部１０５による心電図波形に基づく照合による判定と、第２本人判定部１１１によるサインに基づく照合による判定の２つの判定によって本人と判定されなければ被検体は本人と判定されないため、個人認証のセキュリティレベルを上げることができる。
【００３２】
なお、上記実施形態では、第１本人判定部１０５が心電図波形に基づく照合を行うが、心電図波形に限らず、被検体の心拍数又は脈拍数であっても、これらの組み合わせであっても良い。すなわち、被検体の体調の変化を測定可能なデータであれば良い。また、第２本人判定部１１１はサインに基づく照合を行うが、サインに限らず、文字、図形、音声、顔画像、生体インピーダンス及び脈波の内の少なくとも一つであっても良い。すなわち、第２本人判定部１１１で照合されるデータは、被検体の体調によってそのテンプレートが異なるものであれば良い。
【産業上の利用可能性】
【００３３】
本発明に係る携帯端末は、被検体の体調によらずに、当該被検体の認証を低い本人拒否率で行う携帯端末等として有用である。
【符号の説明】
【００３４】
１０１  メモリ
１０３  心電図取込部
１０５  第１本人判定部
１０７  体調判断部
１０９  サイン取込部
１１１  第２本人判定部
１１３  制御部
【図１】
2013239125.tif 000003
【図２】
2013239125.tif 000004
【図３】
2013239125.tif 000005
【図４】
2013239125.tif 000006